(57)【要約】      （修正有）【課題】人工毛接着剤を置いておく作業プレートの中でも、取扱性、衛生面に優れた人工毛接着剤用作業プレートを提供する。【解決手段】基材と、前記基材の少なくとも一方の面に設けられたコート層と、を備えた人工毛接着剤用作業プレート。前記基材が紙であり、前記コート層がポリエチレン、ポリプロピレン、ポリブタジエン、ポリエチレンテレフタレート、ポリブチレンテレフタレート、ポリシリコーンおよび金属からなる群より選ばれる少なくとも一つからなり、人工毛接着剤がシアノアクリレート系接着剤である。前記コート層の上に人工毛接着剤を取り出しておいた場合でも基材に前記人工毛接着剤が染み込まない。このため取り出した人工毛接着剤を効率よく使用することができ、作業の際の使用量を抑えることができる。【選択図】図１
0003147704.tif 000002
【実用新案登録請求の範囲】
【請求項１】
基材と、前記基材の少なくとも一方の面に設けられたコート層と、を備えた人工毛接着剤用作業プレート。
【請求項２】
前記基材が紙であり、
前記コート層がポリエチレン、ポリプロピレン、ポリブタジエン、ポリエチレンテレフタレート、ポリブチレンテレフタレート、ポリシリコーンおよび金属からなる群より選ばれる少なくとも一つからなり、
および人工毛接着剤がシアノアクリレート系接着剤である、請求項１に記載の人工毛接着剤用作業プレート。
【請求項３】
前記コート層が、ポリプロピレン層である、請求項２に記載の人工毛接着剤用作業プレート。
【請求項４】
前記コート層がアルミニウム蒸着層である、請求項２に記載の人工毛接着剤用作業プレート。
【考案の詳細な説明】
【技術分野】
【０００１】
本考案は、人工毛を毛髪、まつげ等の人体毛等に接着する作業の際に人工毛接着剤を容器から取り出して置くための作業プレートに関する。
【背景技術】
【０００２】
人工毛を毛髪、まつげ等の人体毛等に接着する作業の際には人工毛接着剤を使用する。この接着の作業毎に人工毛接着剤を容器から取り出して使用していては作業が煩雑になる。このため人工毛接着剤をあらかじめ作業プレートの表面に取り出しておき、この作業プレート上の人工毛接着剤を使用して人工毛を毛髪、まつげ等の人体毛等に接着すれば作業効率が改善される。
この様な作業プレートとしては従来、天然石製や人工石製のプレートが使用されてきた。
一般に人工毛接着剤が硬化する際には反応熱により温度が上昇する。この温度上昇によりさらに反応が促進されるため短時間に人工毛接着剤が硬化する。
天然石製や人工石製のプレートを使用した場合、プラスチック素材のプレート等に比較して熱伝導率に優れる。このため人工接着剤が硬化する際の反応熱が比較的除去されやすいため硬化までの時間を遅延させる効果がある。
しかし天然石製や人工石製のプレートを使用した場合、使用しきれずに残った人工毛接着剤がこれらのプレートの表面に固まって一体化してしまうため、作業回数が増えると使用できる表面面積が少なくなるばかりか、見た目にも不衛生感を被施術者に与えてしまう問題がある。また高価な天然石製や人工石製のプレートは使い捨てやリサイクルに必ずしも適していない等の問題があった。
【０００３】
また前記天然石製や人工石製のプレートに代えてプラスチック素材のプレートが使用される場合がある。
特にプラスチック素材のプレートは低価格で入手できることから使い捨てにも適している。
しかしながら実際にプラスチック素材のプレートを使用すると刺激成分が発生する場合があった。
具体的には人工毛接着剤としてシアノアクリレート系接着剤を使用した場合、例えばプラスチック素材のプレートとしてアクリル製等のものを使用すると、シアノアクリレート系接着剤とアクリル樹脂との間で反応が起き、ホルムアルデヒド等の刺激性物質が発生する場合がある。
特に人工毛接着剤はまつげ等に使用されるものであり、微量であっても被施術者に大きな負担を与える可能性もある。
【０００４】
一方、紙の上にアクリル酸エステル・アクリル酸共重合体層を設け、さらにその上にアルミニウム蒸着層を設けた蒸着紙が知られている（特許文献１）。
しかしながらこの蒸着紙の場合、アルミニウム蒸着層を少しでも傷付けるとアクリル酸エステル・アクリル酸共重合体層と人工毛接着剤とが反応してホルムアルデヒド等の刺激性物質が発生する可能性があり、人工毛接着剤用作業プレートとして適さない。
【０００５】
前記蒸着紙よりも入手しやすい人工毛接着剤用作業プレートとして、ロール状に巻き取られた市販のアルミニウム箔を使用することも考えられる。
しかしながらこの様なアルミニウム箔ではその重量が軽すぎるため、アルミニウム箔上の人工毛接着剤をすくい取ろうとするとアルミニウム箔ごと移動してしまうために、手でアルミニウム箔を押さえる必要がある。このためアルミニウム箔自体を使用した場合には片手による作業が困難になる等の問題がある。
一方作業台にアルミニウム箔を粘着テープ等を用いて固定することにより片手による作業は可能になるが、施術者が移動するたびに作業台を動かす必要があり、作業が煩雑になる等の欠点がある。
さらにはアルミニウム箔は容易に破れるため、ピンセット等の治具で人工毛を扱っている際にアルミニウム箔に孔を開けてしまうことがあり人工毛接着剤が作業台に直接接触する不具合が起きる。
【特許文献１】実開平４−１０６３９９号公報
【考案の開示】
【考案が解決しようとする課題】
【０００６】
本考案の目的は、人工毛接着剤を置くための作業プレートの中でも、取扱性、衛生面に優れた人工毛接着剤用作業プレートを提供することにある。
【課題を解決するための手段】
【０００７】
上記課題を解決すべく本考案者が鋭意検討した結果、コート層を備えた基材が本考案の目的に適うことを見出し、本考案を完成するに至った。
【０００８】
すなわち本考案は、
［１］基材と、前記基材の少なくとも一方の面に設けられたコート層と、を備えた人工毛接着剤用作業プレートを提供するものである。
【０００９】
また本考案は、
［２］前記基材が紙であり、
前記コート層がポリエチレン、ポリプロピレン、ポリブタジエン、ポリエチレンテレフタレート、ポリブチレンテレフタレート、ポリシリコーンおよび金属からなる群より選ばれる少なくとも一つからなり、
および人工毛接着剤がシアノアクリレート系接着剤である、上記［１］に記載の人工毛接着剤用作業プレートを提供するものである。
【００１０】
また本考案は、
［３］前記コート層が、ポリプロピレン層である、上記［２］に記載の人工毛接着剤用作業プレートを提供するものである。
【００１１】
また本考案は、
［４］前記コート層がアルミニウム蒸着層である、上記［２］に記載の人工毛接着剤用作業プレートを提供するものである。
【考案の効果】
【００１２】
本考案によれば基材表面にコート層が設けられている。このため前記コート層の上に人工毛接着剤を取り出しておいた場合でも基材に前記人工毛接着剤が染み込まない。このため取り出した人工毛接着剤を効率よく使用することができ、作業の際の使用量を抑えることができる。
【００１３】
また本考案の人工毛接着剤用作業プレートに適度な重量を持たせることが可能なため、金属箔単体を使用した場合に起きる人工毛接着剤をすくい取り難いとの問題や、施術者の移動により生じた風により前記金属箔単体が床へ落下する問題を解決することができる。
【００１４】
また前記基材として紙を使用し、前記コート層としてポリエチレン、ポリプロピレン等を使用し、および人工毛接着剤としてシアノアクリレート系接着剤を使用する場合には有害成分が発生しにくいため施術者への負担を軽減することができる。
【００１５】
特に前記基材として紙を使用し、前記コート層としてアルミニウム蒸着層を使用し、および人工毛接着剤としてシアノアクリレート系接着剤を使用する場合にはアルミニウム蒸着層が前記シアノアクリレート系接着剤の硬化速度を遅延させるため、作業時間に余裕が生じる効果がある。
【００１６】
また本考案の人工毛接着剤用作業プレートは高価な原材料を必要とせず使い捨てすることができることから、人工毛接着剤が固まった作業プレートを使い回しすることによる不衛生感を被施術者に与えることがなく、衛生的に使用することが可能となる。
【考案を実施するための最良の形態】
【００１７】
最初に本考案に使用する構成要素について説明する。
本考案に使用する基材としては、例えば、洋紙、和紙、板紙等の紙等が好適である。
この基材にコート層を設けることにより、本発明の人工毛接着剤用作業プレートが得られる。
本考案に使用するコート層としては、例えば、樹脂層や金属箔等が挙げられる。
前記樹脂層に使用する樹脂としては、例えば、ポリエチレン、ポリプロピレン、ポリブタジエン、ポリエチレンテレフタレート、ポリブチレンテレフタレート、ポリシリコーン等の一種もしくは二種以上を挙げることができる。
中でも取り扱い性等からポリエチレン、ポリプロピレン、ポリシリコーンが好ましく、ポリプロピレンであればさらに好ましい。
【００１８】
また前記金属層としては、例えば、アルミニウム層、金層、銅層等の金属薄膜を挙げることができる。
前記金属層は、アルミニウム蒸着層であれば好ましい。
【００１９】
前記コート層を前記基材に設ける方法としては、例えば、樹脂と基材とを熱プレスする方法、基材に溶融樹脂を塗布する方法、基材に樹脂溶液を塗布する方法、基材に金属箔を接着剤等により接着する方法、基材に金属を蒸着する方法等が挙げられる。
【００２０】
また前記人工毛接着剤としては、例えば、シアノアクリレート系接着剤等が挙げられる。
前記シアノアクリレート系接着剤としては、例えばメチルシアノアクリレート、エチルシアノアクリレート、ブチルシアノアクリレート、オクチルシアノアクリレート等を含むものが好ましく、低刺激性の面からブチルシアノアクリレート、オクチルシアノアクリレート等を含むものがより好ましい。
【００２１】
以下に実施例により本考案をさらに詳細に説明するが、本考案はこれらの実施例により何ら限定されるものではない。
【実施例１】
【００２２】
図１は、本考案である人工毛接着剤用作業プレート１０の断面図である。紙１の表面にポリプロピレン層２が形成されている。前記ポリプロピレン層２の厚みは適宜設定されるが、通常は１００μｍ以下０．０１μｍ以上の範囲である。
【００２３】
図２は本考案である人工毛接着剤用作業プレートの斜視図である。
図２に示した前記人工毛接着剤用作業プレート１０は各辺が４２ｍｍの正方形の形状である。この形状は正方形に限定されることはなく、適宜変形して使用することができる。
【００２４】
図３は本考案である人工毛接着剤用作業プレートの使用形態を説明するための参考模式斜視図である。
【００２５】
人工毛接着剤用作業プレート１０は、縦４３ｍｍ、横４３ｍｍ、厚み１６ｍｍの専用の包装箱３に収納されていて、人工毛接着剤用作業の都度一枚ずつ取り出して使用することができる。このため携帯に便利であり衛生的に保存することができる。
【実施例２】
【００２６】
図４は、本考案の異なる工毛接着剤用作業プレート２０の断面図である。ポリプロピレン層に代えて、紙１の表面にアルミニウム層４が蒸着されている他は実施例１の場合と同様である。前記アルミニウム層４の厚みは適宜設定されるが、通常は１００μｍ以下０．０１μｍ以上の範囲である。
【００２７】
なお本考案である人工毛接着剤用作業プレートの使用形態を説明すれば以下の通りである。
【００２８】
前記人工毛接着剤用作業プレート上にシアノアクリレート系接着剤を適量取り置く。次にピンセットを用いて人工毛の一端を前記シアノアクリレート系接着剤に漬け、まつげ等に接着してまつげ等のエクステンション部を形成する。
【００２９】
前記シアノアクリレート系接着剤は空気中等の水分と反応して硬化する瞬間接着剤であるため、まつげ等のエクステンション部を形成した後に未使用の前記シアノアクリレート系接着剤は硬化する。本考案の人工毛接着剤用作業プレートは使用後は廃棄すればよく、使い回す必要がないため衛生的である。また本考案によれば使用の際に刺激性物質の発生がほとんどなく、特に本考案は目の回りのまつげ等のエクステンション部の形成の際に使用される人工毛接着剤用作業プレートとして優れる。
【図面の簡単な説明】
【００３０】
【図１】人工毛接着剤用作業プレートの断面図である（実施例１）。
【図２】人工毛接着剤用作業プレートの斜視図である（実施例１）。
【図３】人工毛接着剤用作業プレートの使用形態を説明するための参考斜視図である（実施例１）。
【図４】人工毛接着剤用作業プレートの断面図である（実施例２）。
【符号の説明】
【００３１】
１    紙
２    ポリプロピレン層
３    包装箱
４    アルミニウム層
１０，２０    人工毛接着剤用作業プレート
【図１】
0003147704.tif 000003
【図２】
0003147704.tif 000004
【図３】
0003147704.tif 000005
【図４】
0003147704.tif 000006